(57)【要約】      （修正有）【課題】艾葉灸治療と同じ効果が促進される相互励起型の艾葉コロイドパッチを提供する。【解決手段】相互励起型艾葉コロイドパッチは、遠赤外線粉体塗装２０が内面１１に塗布されるコロイドパッチ１０と、使い捨てのコロイド体であり、艾葉抽出物３１が混合される膠質３２を含み、発熱体粉末３３が添加されて混合されることで構成され、固体コロイド形態を呈する艾葉コロイド３０と、を備える。艾葉コロイドは人体４０の所定の経絡経穴４１に貼付され、コロイドパッチにより艾葉コロイドが定位され、遠赤外線粉体塗装と艾葉コロイド内部の発熱体粉末との相互励起作用により、艾葉成分が薬剤放出メカニズムを介して人体の所定の経絡経穴に作用する。【選択図】図７Ａ
0003220104.tif 000002
【実用新案登録請求の範囲】
【請求項１】
再使用可能であり、内面及び前記内面と反対側にある外面を有し、遠赤外線粉体塗装が内面に塗布されるコロイドパッチと、
艾葉抽出物が混合される膠質を含み、発熱体粉末が添加され混合されることで構成され、固体コロイド形態を呈する使い捨てのコロイド体である艾葉コロイドと、を備え、
前記艾葉コロイドは人体の所定の経絡経穴に貼付され、
前記コロイドパッチにより前記艾葉コロイドが定位され、
前記遠赤外線粉体塗装と前記艾葉コロイド内部の発熱体粉末との相互励起作用により、艾葉成分が薬剤放出メカニズムを介して前記人体の所定の経絡経穴に作用することを特徴とする艾葉コロイドパッチ。
【請求項２】
前記艾葉コロイドはバイオエネルギー情報担体が更に設けられることを特徴とする請求項１に記載の艾葉コロイドパッチ。
【請求項３】
前記艾葉コロイドは任意の幾何学パターンに設けられることを特徴とする請求項１に記載の艾葉コロイドパッチ。
【請求項４】
前記艾葉コロイドは粒子状またはシート状に設けられることを特徴とする請求項１に記載の艾葉コロイドパッチ。
【考案の詳細な説明】
【技術分野】
【０００１】
本考案は、相互励起型の艾葉コロイドパッチに関する。
【背景技術】
【０００２】
艾葉（がいよう：ヨモギの葉）には身体を温める、咳止め、除湿、寒気を払う、消炎、喘息止め、抗アレルギー等の作用がある。本草綱目には、「艾の葉は薬となり、温性であり、味は苦く、無毒、純陽性、十二経に通じ、陽性に戻し、気と血を整え、湿気や寒気を払い、止血して子宮を安定させる等の効果があり、針灸にも常用される」と記載されている。
【０００３】
灸治療用具は東洋医学で用いられる治療器具である。いわゆる灸治療とは、艾葉等を皮膚に載せ、艾葉に火を点けてゆっくりと燃焼させることによって発生した熱が人体に対して温熱刺激を与え、血液循環を良好にし、皮膚に軽微な火傷を形成する治療法である。
【先行技術文献】
【特許文献】
【０００４】
【特許文献１】WO第2004/050006号公報
【特許文献２】台湾実用新案第49647号公報
【特許文献３】中国実用新案第20500969号公報
【考案の概要】
【考案が解決しようとする課題】
【０００５】
図１は従来の艾葉灸治療に用いられる灸治療用具の斜視図である。従来の艾葉灸治療は、灸用の灸治療用具５０を使用して間接的に施すものである。施療者は円柱状の艾葉の塊５２を台座５１に固定し、使用する。艾葉の塊５２が直接的に皮膚に載せられるわけではないため、火傷する危険性は低い。
しかしながら、台座５１と艾葉の塊５２とが緊密に接触するため、艾葉の塊５２が点火された後、火に近い台座５１の上部に伝わった熱が台座５１を経由して皮膚に伝わり、熱くなりすぎて被療者に火傷を負わせる懸念があった。
また、艾葉の塊５２が台座５１で燃焼された後に台座５１を捨てねばならず、経済的ではなく、使用が不便であった。
【０００６】
図２は従来の別の灸治療用具の構成を示す斜視図である（例えば、特許文献１参照）。
灸治療用具６０は、台座６１と、支持部材とする金属線６２と、艾葉の塊６３とで構成される。艾葉の塊６３に点火して灸治療を行う際、艾葉載置部の表面に設けられる凹凸部により艾葉の塊６３が任意の位置に留まり、温熱効果を自由に調整できる。
しかしながら、このような灸治療器６０には、一様に欠点が存在する。
【０００７】
図３は従来の別の灸治療用具７０を示す概略図である（例えば、特許文献２参照）。
中空領域を有する本体７１を備え、本体７１には中空領域に連通する複数の貫通孔７２が設けられる。艾葉スティック７３が本体７１の中空領域７１１中に挿設され燃焼されることで、艾葉スティック７３または必要な薬草の燃焼時に、薬気が環境中に散布されて人体に吸収される。
しかしながら、この灸治療用具７０は人体の経穴に直接作用するものではないため、効果が限られる。
【０００８】
なお、図４は従来の艾葉ナノカプセル健康不織布８０を示す断面図（例えば、特許文献３参照）である。
艾葉ナノカプセル健康不織布８０は、ポリプロピレン繊維中間層８１及びこれらポリプロピレン繊維中間層８１の両面に位置される不織布表面層８２、８３を備える。混合物で形成される粘着剤により艾葉繊維中間層８１が形成され、不織布表面層との間の漢方艾葉膠質膜８４に粘着されることで構成される。しかしながら、このような艾葉ナノカプセル健康不織布８０は、一般的なパッチと同じであり、艾葉の効果には限界があった。
【０００９】
そこで、本考案者は上記の欠点が改善可能と考え、鋭意検討を重ねた結果、合理的設計で上記の課題を効果的に改善する本考案の提案に到った。
【００１０】
かかる従来の実情に鑑みて、本考案は、相互励起型の艾葉コロイドパッチを提供することを主目的とする。すなわち、本考案の艾葉コロイドパッチは、艾葉灸治療と同じ効能を有し、艾灸治療器具の使用上の不便さ及び煙を発生させるという欠点がない。
【００１１】
また、本考案は、再使用可能な艾葉コロイドパッチを提供することを他の目的とする。すなわち、本考案の艾葉コロイドのコロイドパッチは再使用可能であり、資源の節約効果が得られる。
【課題を解決するための手段】
【００１２】
上記課題を解決するために、本考案のある態様の艾葉コロイドパッチは、
再使用可能であり、内面及び内面と反対側にある外面を有し、遠赤外線粉体塗装が内面に塗布されるコロイドパッチと、
使い捨てのコロイド体であり、艾葉抽出物が混合される膠質を含み、発熱体粉末が添加されて混合されることで構成され、固体コロイド形態を呈する艾葉コロイドと、を備える。
艾葉コロイドは人体の所定の経絡経穴に貼付され、コロイドパッチにより艾葉コロイドが定位され、遠赤外線粉体塗装と艾葉コロイド内部の発熱体粉末との相互励起作用により、艾葉成分が薬剤放出メカニズムを介して人体の所定の経絡経穴に作用する。
【００１３】
上記技術手段により、本考案はパッチの遠赤外線粉体塗装及び艾葉コロイド内部の発熱体粉末の相互励起作用を利用し、艾葉成分を薬剤放出メカニズムにより人体の所定の経絡経穴に作用させる。
この両者の相互補完により、艾葉灸治療と同じ効能を達成させ、且つ艾葉灸を使用する上での不便さ及び煙が発生するという欠点がない。また、コロイドパッチは再使用可能であり、資源の節約効果が得られる。
【図面の簡単な説明】
【００１４】
【図１】従来の艾葉灸治療用具の構成が使用された状態を示す概略図である。
【図２】従来の灸治療用具が使用された状態を示す概略図である。
【図３】従来の別の灸治療用具の構成を示す概略図である。
【図４】従来の艾葉ナノカプセル健康不織布の構成を示す概略図である。
【図５】本考案の一実施形態による、相互励起型の艾葉コロイドパッチの構成を示す斜視図である。
【図６】本考案の一実施形態による、相互励起型の艾葉コロイドパッチを示す斜視図である。
【図７Ａ】本考案の一実施形態による、相互励起型の艾葉コロイドパッチを示す断面図である。
【図７Ｂ】本考案の他の一実施形態による、相互励起型の艾葉コロイドパッチを示す断面図である。
【図８】本考案の他の一実施形態による、相互励起型の艾葉コロイドパッチの使用状態を示す図である。
【図９】本考案の他の一実施形態による、相互励起型の艾葉コロイドパッチの使用状態を示す図である。
【図１０】本考案の他の一実施形態による、相互励起型の艾葉コロイドパッチの使用状態を示す図である。
【考案を実施するための形態】
【００１５】
以下、本開示の実施形態について図面を用いて説明する。なお、本開示は、下記の実施形態に何ら限定されることはなく、本開示の技術的範囲に属する限り種々の形態を採りうる。
【００１６】
以下、図５〜１０を参照しながら、本考案をさらに詳しく説明する。
本考案の好ましい実施形態は、再使用可能なパッチである。
内面１１及び内面の反対側にある外面１２を有し、遠赤外線粉体塗装２０がコロイドパッチの内面１１に塗布されるコロイドパッチ１０と、
使い捨てのコロイド体であり、コロイド体は艾葉抽出物３１が混合される膠質３２を含み、発熱体粉末３３が添加されて混合されることで構成される艾葉コロイド３０と、
を備える。
艾葉抽出物３１は抽出時に精油を含み、且つナノ化される。
艾葉コロイド３０は固体コロイド形態を呈し、人体４０の所定の経絡経穴４１に貼付され、コロイドパッチ１０により定位される。
次いで、遠赤外線粉体塗装２０と艾葉コロイド３０内部の発熱体粉末３３との相互励起作用により、艾葉成分が薬剤放出メカニズムを介して人体４０の所定の経絡経穴４１に作用する。
【００１７】
実施可能な実施形態において、艾葉コロイド３０はバイオエネルギー情報担体が添加されてもよい。
また、バイオエネルギー情報担体としては、植物、鉱物、金属、微量元素、不活性ガス、及び発酵物質等のうちの何れか１つから選択されるか、またはそれらの組み合わせで構成されてもよい。バイオエネルギー情報担体の共振作用により、艾葉コロイド３０のエネルギーが強化され、その効能が増強される。
【００１８】
本実施形態では、艾葉コロイド３０は円形体として設けられるが、この限りではない。
実施可能な実施形態では、艾葉コロイド３０は任意の幾何学パターンに設けられてもよい。
【００１９】
本実施形態では、艾葉コロイド３０は粒子状に設けられるが（図７Ａ参照）、この限りではない。
実施可能な実施形態では、シート状または薄片状に設けられてもよい（図７Ｂ参照）。
【００２０】
図８乃至図１０は本考案の使用状態の参考図である。
本考案は従来使用される艾葉壺（瓶）により燻す必要がない。艾葉コロイド３０を人体４０の所定の経絡経穴４１に貼付するのみでよい。例えば、頸、肩、背中、腰、椎間板、手、足等に貼付しさえすれば、コロイドパッチ１０により艾葉コロイド３０が定位される。次いで、遠赤外線粉体塗装２０と艾葉コロイド３０内部の発熱体粉末３３との相互励起作用により、艾葉成分が薬剤放出メカニズムを介して人体４０の所定の経絡経穴４１に作用する。使用上非常に便利であり、効能にも優れる。
【００２１】
本考案は上記の技術的特徴により、下述の増進効果を有する。
一、本考案は、パッチ１０の遠赤外線粉体塗装２０、及び、艾葉コロイド３０内部の発熱体粉末３３の相互励起作用により、人体４０の所定の経絡経穴４１に作用する。また、艾葉抽出物３１の抽出時に精油が含まれ、それらの精油はナノ化されているため、艾葉成分が薬剤放出メカニズムにより、人体４０の所定の経絡経穴４１に作用する。これらの相互補完により、艾葉灸治療と同じ効能を達成させ、従来の艾葉灸治療器具の使用上の不便さ及び煙を発生させるという欠点もない。
二、本考案のパッチ１０及び艾葉コロイド３０は分離して設けられるため、艾葉コロイド３０は１回しか使用できない一方、パッチ１０は再使用可能であり、資源の節約効果が得られる。
三、本考案ではバイオエネルギー情報担体の共振作用により、艾葉コロイド３０のエネルギーが更に強化され、その効能が増強される。
四、本考案は艾葉壺（瓶）により燻す必要がなく、携帯に便利である。また、運転中、作業中、運動中であっても持続的に使用可能であるという利便性を有する。
【００２２】
上述の実施形態は、本考案の技術思想及び特徴を説明するためのものにすぎず、当該技術分野を熟知する者に本考案の内容を理解させると共に、これをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２３】
１０              コロイドパッチ
１１              内面
１２              外面
２０              遠赤外線粉体塗装
３０              艾葉コロイド
３１              艾葉抽出物
３２              膠質
３３              発熱体粉末
３４              バイオエネルギー情報担体
４０              人体
４１              経絡経穴
５０、６０、７０  灸治療用具
５１、６１        台座
５２、６３        艾葉の塊
６２              金属線
７０              灸治療用具
７３              艾葉スティック
７１              本体
７１１            中空領域
７２              貫通孔
８０              艾葉ナノカプセル健康不織布
８１              ポリプロピレン繊維中間層
８２、８３        不織布表面層
８４              漢方艾葉膠質膜
【図１】
0003220104.tif 000003
【図２】
0003220104.tif 000004
【図３】
0003220104.tif 000005
【図４】
0003220104.tif 000006
【図５】
0003220104.tif 000007
【図６】
0003220104.tif 000008
【図７Ａ】
0003220104.tif 000009
【図７Ｂ】
0003220104.tif 000010
【図８】
0003220104.tif 000011
【図９】
0003220104.tif 000012
【図１０】
0003220104.tif 000013